(57)【特許請求の範囲】
【請求項１】
パネルの取付孔と係止可能に形成された係止部と、前記パネルに配索される電線束が載置される載置部と、を備えた外装部品が、前記電線束に束ねられる電線のうち一の電線に一体成形された外装部品付電線において、
前記載置部には、前記一の電線を保持する保持部が設けられ、
前記保持部には、前記保持部に保持された前記一の電線を該保持部から離間する方向に変位させた際に破断する脆弱部が設けられていることを特徴とする外装部品付電線。
【請求項２】
前記保持部が、前記載置部から膨出されると共に前記一の電線を覆って形成され、かつ、
前記脆弱部が、前記一の電線を覆っている前記保持部の肉厚が薄肉にされて形成されていることを特徴とする請求項１に記載の外装部品付電線。
【請求項３】
前記保持部が、前記載置部から立設される柱状部と、前記柱状部に設けられ前記一の電線を覆う筒状部とから形成され、かつ、
前記脆弱部が、前記柱状部の肉厚が薄肉にされて形成されていることを特徴とする請求項１に記載の外装部品付電線。
【請求項４】
請求項１〜請求項３のいずれか一項に記載の外装部品付電線と、前記パネルに配索される前記電線束と、を有することを特徴とするワイヤハーネス。
【発明の詳細な説明】
【技術分野】
【０００１】
本発明は、ワイヤハーネスが配索されるパネルの取付孔に係合する外装部品が電線に一体成形された外装部品付電線、および、前記外装部品付電線を有するワイヤハーネスに関する。
【背景技術】
【０００２】
自動車等には、種々の電子機器と電装品とが搭載されている。前記電子機器や電装品には、バッテリなどの電源等からの電力や制御装置からの制御信号などを伝えるワイヤハーネスがコネクタやターミナルを介して電気的に接続されている。
【０００３】
ワイヤハーネスは、自動車等の車体を構成するパネルに配索されている。ワイヤハーネスには、前記パネルに設けられた取付孔に係合する外装部品として、配線用クリップ、ワイヤハーネス用チューブ、ワイヤハーネス用プロテクタ等が設けられている。外装部品としての配線用クリップ、および、前記配線用クリップを有するワイヤハーネスが、種々提案されている（例えば、特許文献１〜特許文献３参照。）。
【０００４】
特許文献１〜特許文献３に記載の配線用クリップを有するワイヤハーネスは、配線用クリップが、前記パネルあるいは前記ワイヤハーネスの修理やメンテナンスの時に、係止部が破壊されるように構成されている。このため、前記パネルから前記ワイヤハーネスを取り外し、修理やメンテナンス等が可能となっている。
【先行技術文献】
【特許文献】
【０００５】
【特許文献１】特開２００２−３１５１６４号公報
【特許文献２】特開２００５−２６１７８号公報
【特許文献３】特開２００６−１４５６９号公報
【発明の概要】
【発明が解決しようとする課題】
【０００６】
しかしながら、特許文献１〜特許文献３に記載のワイヤハーネスは、前記配線用クリップが前記ワイヤハーネスの電線に一体成形されているため、前記パネルから取り外されたワイヤハーネスに、係止部が破壊された配線用クリップが残留する。
【０００７】
ワイヤハーネスに残留した配線用クリップは、作業員によってハサミやナイフなどの刃物で破壊され、前記ワイヤハーネスから取り外される。ワイヤハーネスには多数の配線用クリップが設けられているため、作業員によって前記配線用クリップの一つ一つが取り除かれる。このため、修理やメンテナンス等における作業効率が低下する。
【０００８】
本発明は、電線から分離可能に形成された外装部品を有する外装部品付電線、および、前記外装部品付電線を有するワイヤハーネスを提供することを目的とする。
【課題を解決するための手段】
【０００９】
前記課題を解決し目的を達成するために、請求項１に記載された発明は、パネルの取付孔と係止可能に形成された係止部と、前記パネルに配索される電線束が載置される載置部と、を備えた外装部品が、前記電線束に束ねられる電線のうち一の電線に一体成形された外装部品付電線において、前記載置部には、前記一の電線を保持する保持部が設けられ、前記保持部には、前記保持部に保持された前記一の電線を該保持部から離間する方向に変位させた際に破断する脆弱部が設けられていることを特徴とする外装部品付電線である。
【００１０】
請求項２に記載された発明は、前記保持部が、前記載置部から膨出されると共に前記一の電線を覆って形成され、かつ、前記脆弱部が、前記一の電線を覆っている前記保持部の肉厚が薄肉にされて形成されていることを特徴とする請求項１に記載の外装部品付電線である。
【００１１】
請求項３に記載された発明は、前記保持部が、前記載置部から立設される柱状部と、前記柱状部に設けられ前記一の電線を覆う筒状部とから形成され、かつ、前記脆弱部が、前記柱状部の肉厚が薄肉にされて形成されていることを特徴とする請求項１に記載の外装部品付電線である。
【００１２】
請求項４に記載された発明は、請求項１〜請求項３のいずれか一項に記載の外装部品付電線と、前記パネルに配索される前記電線束と、を有することを特徴とするワイヤハーネスである。
【発明の効果】
【００１３】
請求項１に記載された発明によれば、外装部品付電線は、電線束に束ねられる電線のうち一の電線が保持される保持部に、前記一の電線が前記保持部から離間する方向に変位されると破断する脆弱部が設けられているため、前記一の電線を前記保持部の上方に引き上げると、前記脆弱部が破断して前記一の電線と外装部品とに分離される。
【００１４】
請求項２に記載された発明によれば、外装部品付電線は、電線束に束ねられる電線のうち一の電線を覆って保持する保持部に、前記保持部の肉厚を薄肉に形成した脆弱部が設けられているため、前記一の電線を前記保持部の上方に引き上げると、前記脆弱部が破断して前記一の電線と外装部品とに分離される。
【００１５】
請求項３に記載された発明によれば、外装部品付電線は、電線束に束ねられる電線のうち一の電線が保持される保持部の柱状部に、前記柱状部の肉厚を薄肉に形成した脆弱部が設けられているため、前記一の電線を前記保持部の上方に引き上げると、前記脆弱部が破断して前記一の電線と外装部品とに分離される。
【００１６】
請求項４に記載された発明によれば、ワイヤハーネスは、電線束に束ねられる電線のうち一の電線に外装部品が一体成形された外装部品付電線と、前記外装部品と電線束とが束ねられて形成されており、前記電線束に束ねられた前記一の電線を保持する保持部に、前記一の電線が前記保持部から離間する方向に変位されると破断する脆弱部を設けたため、前記一の電線を前記保持部の上方に引き上げると、前記脆弱部が破断して前記電線束と該電線束に束ねられた前記一の電線と、外装部品とに分離される。
【００１７】
このため、メンテナンスや修理等でパネルから取り外されたワイヤハーネスは、ペンチ等の工具によって外装部品が引張られて取り除かれる。このように簡単な作業によって、ワイヤハーネスから外装部品が取り除かれるため、メンテナンスや修理等におけるメンテナンス性や作業性が向上する。
【図面の簡単な説明】
【００１８】
【図１】本発明の一実施形態にかかるワイヤハーネスの斜視図である。
【図２】図１に示すワイヤハーネスの配線用クリップ付電線の斜視図である。
【図３】図２に示す配線用クリップ付電線のＹ−Ｙ矢視図である。
【図４】図２に示す配線用クリップ付電線のＸ−Ｘ矢視断面図である。
【図５】図２に示す配線用クリップ付電線を成形する金型の要部断面図である。
【図６】図５に示す金型の下型の斜視図である。
【図７】図２に示す配線用クリップ付電線の電線と配線用クリップとが分離された状態を示す斜視図である。
【図８】本発明の第２の実施形態にかかるワイヤハーネスの配線用クリップ付電線を示す図である。
【図９】図８に示す配線用クリップ付電線の電線と配線用クリップとが分離された状態を示す斜視図である。
【図１０】配線用クリップ付電線の一変形例を示す斜視図である。
【発明を実施するための形態】
【００１９】
以下、本発明の実施形態について、図１〜図９を参照して説明する。
【００２０】
本発明の一実施形態にかかるワイヤハーネス１は、図１に示すように、電線束３と、外装部品付電線としての配線用クリップ付電線２とを有している。ワイヤハーネス１は、前記電線束３と前記配線用クリップ付電線２とがワイヤハーネス用テープ９によって捲回されて形成されている。
【００２１】
電線束３は、図１に示すように、複数本の電線１０からなる。電線１０は、導電性の芯線と、絶縁性の被覆部とを有している。芯線は、複数本の導線が撚られて形成されている。導線は、導電性の金属からなる。被覆部は、前記芯線を被覆しており、ポリ塩化ビニル樹脂などの合成樹脂からなる。なお、芯線は、一本の導線から構成されても良い。
【００２２】
配線用クリップ付電線２は、図２に示すように、電線６と外装部品としての配線用クリップ５とを有している。なお、外装部品は、ワイヤハーネス用プロテクタ、ワイヤハーネス用チューブ等でも良い。
【００２３】
電線６は、図４に示すように、導電性の芯線７と、絶縁性の被覆部８とを有している。芯線７は、複数本の導線が撚られて形成されている。芯線７を構成する導線は、導電性の金属からなる。被覆部８は、前記芯線７を被覆している。このため、電線６の外表面は、被覆部８の外表面となる。被覆部８は、ポリ塩化ビニル樹脂などの合成樹脂からなる。なお、芯線７は、一本の導線から構成されても良い。
【００２４】
配線用クリップ５は、図３に示すように、前記電線束３が載置される載置部１４と、パネルの取付孔に係止可能に形成された係止部３１とを備えている。配線用クリップ５は、可撓性を有するポリプロピレン樹脂などの合成樹脂で構成されている。
【００２５】
載置部１４には、前記電線６の長手方向に向かって延長されて形成された接着部１９が設けられている。接着部１９は、前記電線束３と前記配線用クリップ付電線２とがワイヤハーネス用テープ９によって捲回される際に、前記ワイヤハーネス用テープ９と接着される。なお、載置部１４は、接着部１９を設けていないもの、あるいは、前記載置部１４の両側に設けたものでも良い。
【００２６】
載置部１４の上面には、図２および図３に示すように、前記電線６が案内される案内溝２０と、前記電線６が保持される保持部１５，１６とが設けられている。前記案内溝２０は、前記電線６の外表面に沿って半円形状に形成されている。このため、前記電線６が、前記案内溝２０内に案内され、前記案内溝２０内に安定して収容される。従って、前記電線６が載置部１４上で蛇行することが防止され、前記電線６の長手方向に対して前記載置部１４が回転して前記保持部１５，１６に負荷がかかることが防止される。
【００２７】
保持部１５，１６は、図４に示すように、前記載置部１４から膨出され、前記電線６の外表面に沿った半円形状に形成されている。保持部１５，１６は、前記電線６の外表面を覆う厚肉部２１，２２と、前記電線６の外表面を覆うと共に破断可能に形成された脆弱部としての肉薄部２３，２４と、から形成されている。
【００２８】
本発明でいう、薄肉部２３，２４とは、前記保持部１５，１６の強度と前記載置部１４の強度とよりも容易に破断される強度の肉薄に形成され、且つ、前記ワイヤハーネス１が前記パネルの前記取付孔から取り出される際には破断されない強度の肉厚に形成されていることをいう。なお、薄肉部２３，２４の肉厚は、後述する係止部３１と前記取付孔との係止力、前記電線６の直径、前記配線用クリップ５の材質などによって適宜変更可能であり、図４に示す肉厚に限定されるものではない。
【００２９】
載置部１４の下面には、図３に示すように、前記係止部３１と、前記係止部３１が前記パネルの前記取付孔に係止されると該パネルを押圧する押圧部３６とが設けられている。載置部１４は、図３および図４に示すように、前記押圧部３６の外形よりも幅広に形成されている。これにより、前記電線束３が前記押圧部３６に接触するのが防止される。また、前記載置部１４が大きく揺動するのが抑制される。
【００３０】
係止部３１は、図３に示すように、前記載置部１４の下面から立設された支柱３２，３３と、一対の係止片３４，３５とからなる。支柱３２，３３は、前記載置部１４の下面に直交する方向に沿って延長されている。一対の係止片３４，３５は、前記支柱３２，３３の先端から基端側へ延長されると共に、前記基端側に向かうに従って徐々に互いに離間するように傾斜している。一対の係止片３４，３５は、前記一対の係止片３４，３５の揺動方向が、前記電線６の長手方向に平行となる向きに設けられている。このため、前記電線６の長手方向に作用する振動が抑えられる。
【００３１】
押圧部３６は、図３および図４に示すように、下方に向かって順次拡開されると共に、下方が開口された円錐形状に形成されている。押圧部３６の縁端は、前記一対の係止片３４，３５のそれぞれの自由端が形成されている位置よりも下方に設けられている。
【００３２】
このため、係止部３１が前記パネルの前記取付孔内に侵入すると、一対の係止片３４，３５のそれぞれの自由端が互いに近接する方向に弾性変形する。その後、係止部３１が前記取付孔を挿通すると、前記一対の係止片３４，３５のそれぞれの自由端が弾性回復力によって互いに離間する方向に変位する。そして、前記一対の係止片３４，３５のそれぞれの自由端が前記取付孔の周縁に当接し、前記係止部３１が前記取付孔に係止する。このとき、押圧部３６の縁端が前記パネルを押圧し、係止部３１の係止力が向上し、前記係止部３１と前記取付孔とが強固に係止される。
【００３３】
上述した配線用クリップ付電線２が成形される金型６０は、図５に示すように、水平割金型であって、上型６１と下型６２とから構成されている。上型６１と下型６２とには、前記電線６の外形に沿って形成された線条キャビティ６４と、前記電線６に取り付けられた配線用クリップ５の外形に沿って形成されたクリップ用キャビティ６３と、がそれぞれ設けられている。下型６２は、図６に示すように、線条キャビティ６４とクリップ用キャビティ６３とがそれぞれ上向きに形成されている。線条キャビティ６４は、図６に示すように、上型６１と下型６２との両端から電線６を外部に導出させる導出口６５，６６がそれぞれ設けられている。なお、金型６０は、垂直割金型であっても良い。
【００３４】
なお、金型６０は、クリップ用キャビティ６３が線条キャビティ６４上に複数個設けられていても良い。この場合の金型６０は、複数個のクリップ用キャビティ６３が、電線束３に配線用クリップ付電線２を組み付けて形成されたワイヤハーネス１がパネルに取り付けられる時に、複数個の配線用クリップ５が前記パネルの前記取付孔に係合可能となる位置に配置される。即ち、複数個の配線用クリップ５は、電線６に対する相対的な位置が前記パネルの前記取付孔に係合可能となる位置に設けられる。
【００３５】
本発明でいう、複数個の配線用クリップ５が、電線２に対する相対的な位置がパネルの取付孔に係合可能となる位置に設けられているとは、線条キャビティ６４に対してワイヤハーネス１の設計時の相対的な位置に保たれたクリップ用キャビティ６３内に溶融した樹脂を射出成形して得られた配線用クリップ付電線２において、複数個の配線用クリップ５の電線２に対する相対的な位置が、射出成形時に生じる誤差を除くと、設計時に定められた位置となっていることをいう。
【００３６】
上述した金型６０によって成形された配線用クリップ付電線２は、布線板に設けられた結き具上に布線された電線束３の長手方向に沿って組み付けられ、図１に示すように、前記配線用クリップ付電線２の電線６と、前記配線用クリップ付電線２の接着部１９と、電線束３と、がワイヤハーネス用テープ９で捲回されて固定される。そして、配線用クリップ付電線２を有するワイヤハーネス１が製造される。製造されたワイヤハーネス１は、所要の配索形態でパネルに取り付けられる。
【００３７】
前記パネルなどのメンテナンスや修理等の時、または、前記ワイヤハーネス１のメンテナンスや修理等の時、前記ワイヤハーネス１が前記パネルから取り外される。取り外された前記ワイヤハーネス１には、係止部３１が破壊された配線用クリップ５が残留する。残留した前記配線用クリップ５は、ペンチ等の工具によって、図７に示すように、図示しない電線束３にワイヤハーネス用テープ９で捲回された電線６と、配線用クリップ５とに分離され，前記ワイヤハーネス１から配線用クリップ５が取り除かれる。なお、作業員の手指によって、電線６と配線用クリップ５とに分離しても良い。
【００３８】
所定のメンテナンスや修理がなされた後、前記配線用クリップ５が取り除かれた前記ワイヤハーネス１には、市販品などの一般的な配線用クリップが取り付けられ、ワイヤハーネス用テープ９の捲回によって前記配線用クリップが固定される。一般的な配線用クリップが固定されたワイヤハーネスは、前記パネルに所要の配索形態で取り付けられ、メンテナンスや修理等が完了する。
【００３９】
上述の一実施形態にかかるワイヤハーネス１は、配線用クリップ付電線２が、パネルの取付孔と係止可能に形成された係止部３１と、前記パネルに配索される電線束３が載置される載置部１４と、を備えた配線用クリップ５が、前記電線束３に束ねられる電線６に一体成形されている。前記載置部１４には、前記電線６を保持する保持部１５，１６が設けられ、前記保持部１５，１６には、前記保持部１５，１６に保持された前記電線６を該保持部１５，１６から離間する方向に変位させた際に破断する脆弱部２３，２４が設けられている。前記保持部１５，１６が、前記載置部１４から膨出されると共に前記電線６を覆って形成され、かつ、前記脆弱部２３，２４が、前記保持部１５，１６に設けられると共に前記電線６を覆っている前記保持部１５，１６の肉厚が薄肉に形成されている。
【００４０】
このため、ペンチなどの工具や作業員の手指によってワイヤハーネス１の配線用クリップ５を引張ると、保持部１５，１６の薄肉部２３，２４が破断されて前記電線６と前記配線用クリップ５とが分離される。このため、メンテナンスや修理等でパネルから取り外されたワイヤハーネス１は、ペンチ等の工具や作業員の手指によって配線用クリップ５を取り除くことができる。よって、メンテナンスや修理等におけるメンテナンス性や作業性が向上する。
【００４１】
（第２の実施形態）
次に、本発明にかかるワイヤハーネスの第２の実施形態について、図８および図９を参照して説明する。なお、前述した実施形態と同一部分については、同一の符号を付して説明を省略する。
【００４２】
本発明の第２の実施形態にかかるワイヤハーネス１Ａは、電線束３と、外装部品付電線としての配線用クリップ付電線２Ａとを有している。ワイヤハーネス１Ａは、前記電線束３と前記配線用クリップ付電線２Ａとがワイヤハーネス用テープ９によって捲回されて形成されている。
【００４３】
配線用クリップ付電線２Ａは、図８に示すように、電線６と外装部品としての配線用クリップ５Ａとを有している。なお、外装部品は、ワイヤハーネス用プロテクタ、ワイヤハーネス用チューブ等でも良い。
【００４４】
配線用クリップ５Ａは、前記電線束３が載置される載置部１４と、パネルの取付孔に係合可能に形成された係止部３１とを備えている。配線用クリップ５Ａは、可撓性を有するポリプロピレン樹脂などの合成樹脂で構成されている。
【００４５】
載置部１４には、前記電線６の長手方向に向かって延長されて形成された接着部１９が設けられている。接着部１９は、前記電線束３と前記配線用クリップ付電線２とがワイヤハーネス用テープ９によって捲回された際に、前記ワイヤハーネス用テープ９と接着される。
【００４６】
載置部１４の上面には、図８に示すように、前記電線６が保持される保持部１８が設けられている。保持部１８は、前記載置部１４から立設された柱状部２６，２７と、前記柱状部２６，２７に設けられ前記電線６の外表面を覆う筒状部２５とから形成されている。筒状部２５は、前記電線６の外表面形状に沿って円筒形状に形成されている。筒状部２５は、前記電線６の長手方向に延長して形成されている。なお、筒状部２５は、前記電線６を保持する機能を発揮すればよいので、角筒形状などでも良い。
【００４７】
柱状部２６，２７には、前記柱状部２６，２７の肉厚が薄肉に形成された脆弱部２８，２９が設けられている。柱状部２６，２７は、前記筒状部２５から前記載置部１４に向かって順次縮小する円錐形状に形成されている。脆弱部２６，２７は、前記柱状部２６，２７が小径に形成されて設けられている。なお、柱状部２６，２７の形状と、脆弱部２８，２９の外形とは、前記係止部３１と前記取付孔との係止力、前記電線６の直径、前記配線用クリップ５Ａの材質などによって適宜変更可能であり、図８および図９に示す形状と外形とに限定されるものではない。
【００４８】
載置部１４の下面には、図８に示すように、前記係止部３１と、前記係止部３１が前記パネルの前記取付孔に係止されると該パネルを押圧する押圧部３６とが設けられている。
【００４９】
金型６０によって形成された配線用クリップ付電線２Ａは、布線板に設けられた結き具上に布線された電線束３の長手方向に沿って組み付けられ、前記配線用クリップ付電線２Ａの電線６と、前記配線用クリップ付電線２Ａの接着部１９と、電線束３と、がワイヤハーネス用テープ９で捲回されて固定される。そして、配線用クリップ付電線２Ａを有するワイヤハーネス１Ａが製造される。製造されたワイヤハーネス１Ａは、所要の配索形態でパネルに取り付けられる。
【００５０】
前記パネルなどのメンテナンスや修理の時、または、前記ワイヤハーネス１Ａのメンテナンスや修理等の時、前記前記ワイヤハーネス１Ａが前記パネルから取り外される。取り外された前記ワイヤハーネス１Ａには、係止部３１が破壊された配線用クリップ５Ａが残留する。残留した前記配線用クリップ５Ａは、ペンチ等の工具によって、図９に示すように、図示しない電線束３にワイヤハーネス用テープ９で捲回された電線６と、配線用クリップ５Ａとに分離され、前記ワイヤハーネス１Ａから配線用クリップ５Ａが取り除かれる。前記電線６に残留した筒状部２５は、前記配線用クリップ５Ａよりも小型であるため、前記電線６に残留した状態とされる。なお、前記配線用クリップ５Ａは、作業員の手指によって、電線６と配線用クリップ５Ａとに分離しても良い。
【００５１】
所定のメンテナンスや修理等がなされた後、前記配線用クリップ５Ａが取り除かれた前記ワイヤハーネス１Ａには、市販品などの一般的な配線用クリップが取り付けられ、ワイヤハーネス用テープ９の捲回によって前記配線用クリップが固定される。一般的な配線用クリップが固定されたワイヤハーネスは、前記パネルに所要の配索形態で取り付けられ、メンテナンスや修理等が完了する。
【００５２】
上述の第２の実施形態にかかるワイヤハーネス１Ａは、配線用クリップ付電線２Ａが、パネルの取付孔と係止可能に形成された係止部３１と、前記パネルに配索される電線束３が載置される載置部１４と、を備えた配線用クリップ５Ａが、前記電線束３に束ねられる電線６に一体成形されている。前記載置部１４には、前記電線６を保持する保持部１８が設けられ、前記保持部１８には、前記保持部１８に保持された前記電線６を該保持部１８から離間する方向に変位させた際に破断する脆弱部２８，２９が設けられている。前記保持部１８が前記載置部１４から立設された柱状部２６，２７と、前記柱状部２６，２７に設けられ前記電線６を覆う筒状部２５とから形成され、かつ、前記脆弱部２８，２９が、前記保持部１８の前記柱状部２６，２７に設けられると共に該柱状部２６，２７の肉厚が薄肉に形成されている。
【００５３】
このため、電線６が保持される保持部１８は、前記保持部１８の筒状部２５と前記載置部１４とに連設された柱状部２６，２７に、脆弱部２８，２９が設けられているため、ペンチ等の工具や作業員の手指で前記電線６と配線用クリップ５Ａとに分離できる。このため、メンテナンスや修理等の際にパネルから取り外されたワイヤハーネス１Ａの配線用クリップ５Ａは、ペンチ等の工具や作業員の手指によって前記ワイヤハーネス１Ａから取り除かれる。従って、メンテナンスや修理等におけるメンテナンス性や作業性が向上する。
【００５４】
（配線用クリップ付電線の変形例）
次に、本発明にかかるワイヤハーネスの配線用クリップ付電線２Ｂの一変形例について、図１０を参照して説明する。なお、前述した実施形態と同一部分については、同一符号を付して説明を省略する。
【００５５】
本発明のワイヤハーネスの配線用クリップ付電線２Ｂは、図１０に示すように、電線６と外装部品としての配線用クリップ５Ｂとを有している。なお、外装部品は、ワイヤハーネス用プロテクタ、ワイヤハーネス用チューブ等でも良い。
【００５６】
配線用クリップ５Ｂは、前記電線束３が載置される載置部１４と、パネルの取付孔に係合可能に形成された係止部３１とを備えている。配線用クリップ５Ｂは、可撓性を有するポリプロピレン樹脂などの合成樹脂で構成されている。
【００５７】
載置部１４には、前記電線６の長手方向に向かって延長されて形成された接着部１９が設けられている。接着部１９は、前記電線束３と前記配線用クリップ付電線２Ｂとがワイヤハーネス用テープ９によって捲回される際に、前記ワイヤハーネス用テープ９と接着される。
【００５８】
接着部１９の上面には、前記電線６が保持される保持部１８が設けられている。保持部１８は、前記接着部１９から立設された柱状部２６，２７と、前記柱状部２６，２７の外径が縮小されて形成された脆弱部２８，２９と、を備えている。筒状部２５は、前記電線６の外表面の形状に沿って、前記電線６の長手方向に延長して形成されている。柱状部２６，２７は、前記筒状部２５の長手方向の両端部のそれぞれに設けられている。
【００５９】
載置部１４の下面には、前記係止部３１と、前記係止部３１が前記パネルの前記取付孔に係止されると該パネルを押圧する押圧部３６とが設けられている。
【００６０】
上述の配線用クリップ付電線２Ｂを備えたワイヤハーネスは、電線６が保持される保持部１８の柱状部２６，２７に設けられた脆弱部２８，２９が破断されるため、ペンチ等の工具によって配線用クリップ５Ｂと前記電線６とに分離できる。従って、ワイヤハーネスのメンテナンスや修理等におけるメンテナンス性や作業性が向上する。
【００６１】
なお、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【００６２】
１  ワイヤハーネス
２  配線用クリップ付電線（外装部品付電線）
３  電線束
５  配線用クリップ（外装部品）
１４  載置部
１５，１６，１８  保持部
２３，２４，２８，２９  脆弱部
２６，２７  柱状部
３１  係止部
【図１】
0005693283.tif 000002
【図２】
0005693283.tif 000003
【図３】
0005693283.tif 000004
【図４】
0005693283.tif 000005
【図５】
0005693283.tif 000006
【図６】
0005693283.tif 000007
【図７】
0005693283.tif 000008
【図８】
0005693283.tif 000009
【図９】
0005693283.tif 000010
【図１０】
0005693283.tif 000011